Podtech/llm-jp-corpus-v4-ja_patent huggingface dataset:
【手続補正書】
【提出日】平成25年1月29日(2013.1.29)
【手続補正１】
【補正対象書類名】特許請求の範囲
【補正対象項目名】全文
【補正方法】変更
【補正の内容】
【特許請求の範囲】
【請求項１】
下記の式の化合物又はその医薬的に許容され得る塩の効果的な量を含む、アレナウイルス科に属するウイルスによって引き起こされるか、又は、アレナウイルス科に属するウイルスに関連する疾患又は状態を治療又は予防するための医薬組成物。
【化５】
2012518648.tif 000001
［式中、Ｒは、置換又は非置換のアルキル基、置換又は非置換のシクロアルキル基、置換又は非置換のアリール基、或いは、置換又は非置換のオキサアルキル基から選択されるか、または、Ｒは、
【化６】
2012518648.tif 000002
（Ｒ１は置換又は非置換のアルキル基である；
Ｘ１〜５は独立して、Ｈ、ＮＯ２、Ｎ３又はＮＨ２から選択される；
Ｙは非存在であるか、或いは、カルボニル以外の、置換又は非置換のＣ１−アルキル基である；及び
Ｚは結合叉はＮＨから選択される；但し、Ｚが結合であるときは、Ｙは非存在であり、、ＺがＮＨであるときは、Ｙは、カルボニル以外の、置換又は非置換のＣ１−アルキル基である）である；及び
Ｗ１〜４は独立して、水素、置換又は非置換のアルキル基、置換又は非置換のハロアルキル基、置換又は非置換のアルカノイル基、置換又は非置換のアロイル基、或いは、置換又は非置換のハロアルカノイル基から選択される。］
【請求項２】
Ｗ１、Ｗ２、Ｗ３及びＷ４のそれぞれが水素である、請求項１に記載の医薬組成物。
【請求項３】
Ｒが、置換又は非置換のアルキル基、置換又は非置換のシクロアルキル基、置換又は非置換のアリール基、或いは、置換又は非置換のオキサアルキル基から選択される、請求項１に記載の医薬組成物。
【請求項４】
ＲがＣ２−Ｃ１２アルキル基である、請求項１に記載の医薬組成物。
【請求項５】
ＲがＣ３−Ｃ６アルキル基である、請求項１に記載の医薬組成物。
【請求項６】
前記医薬組成物が、Ｂ−ブチルデオキシノジリマイシン又はその医薬的に許容され得る塩を含む、請求項１に記載の医薬組成物。
【請求項７】
Ｒがオキサアルキル基である、請求項１に記載の医薬組成物。
【請求項８】
Ｒが、１個〜３個の酸素原子を含有するＣ２−Ｃ１６オキサアルキル基である、請求項１に記載の医薬組成物。
【請求項９】
Ｒが、１個〜２個の酸素原子を含有するＣ６−Ｃ１２オキサアルキル基である、請求項１に記載の医薬組成物。
【請求項１０】
前記医薬組成物が、Ｎ−（７−オキサデシル）デオキシノジリマイシン又はその医薬的に許容され得る塩を含む、請求項１に記載の医薬組成物。
【請求項１１】
前記医薬組成物が、Ｎ−（９−メトキシノニル）デオキシノジリマイシン又はその医薬的に許容され得る塩を含む、請求項１に記載の医薬組成物。
【請求項１２】
Ｒが
【化７】
2012518648.tif 000003
である、請求項１に記載の医薬組成物。
【請求項１３】
Ｘ１がＮＯ２であり、Ｘ３がＮ３である、請求項１２に記載の医薬組成物。
【請求項１４】
Ｘ２、Ｘ４及びＸ５のそれぞれが水素である、請求項１２に記載の医薬組成物。
【請求項１５】
前記医薬組成物が、Ｎ−（Ｎ−｛４’−アジド−２’−ニトロフェニル｝−６−アミノヘキシル）デオキシノジリマイシン又はその医薬的に許容され得る塩を含む、請求項１に記載の医薬組成物。
【請求項１６】
前記対象が哺乳動物である、請求項１に記載の医薬組成物。
【請求項１７】
前記対象がヒトである、請求項１に記載の医薬組成物。
【請求項１８】
前記ウイルスが、イッピーウイルス、ラッサウイルス、リンパ球性脈絡髄膜炎ウイルス、モバラウイルス、モペイアウイルス、アマパリウイルス、フレクサルウイルス、グアナリトウイルス、フニンウイルス、ラチノウイルス、マチュポウイルス、オリベロスウイルス、パラナウイルス、ピチンデウイルス、ピリタルウイルス、サビアウイルス、タカリベウイルス、タミアミウイルス、ホワイトウォーターアロヨ（Whiterwater arroyo）ウイルス及びチャパレ（Chapare）ウイルスから選択される、請求項１に記載の医薬組成物。
【請求項１９】
前記ウイルスがピチンデウイルスである、請求項１に記載の医薬組成物。
【請求項２０】
前記ウイルスがフニンウイルスである、請求項１に記載の医薬組成物。
【請求項２１】
前記疾患又は状態が、リンパ球性脈絡髄膜炎、ラッサ熱、アルゼンチン出血熱、ボリビア出血熱、ブラジル出血熱、タカリベ熱、ベネズエラ出血熱、フレクサルウイルスに関連するインフルエンザ様疾患、及び、ホワイトウォーターアロヨ（Whiterwater arroyo）ウイルスに関連する出血熱から選択される、請求項１に記載の医薬組成物。
【請求項２２】
前記疾患又は状態がアルゼンチン出血熱である、請求項１に記載の医薬組成物。
【請求項２３】
前記疾患又は状態がラッサ熱である、請求項１に記載の医薬組成物。
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
水性液体中に長期間沈漬される表面の劣化及び退色を低減するための表面組成を製造する方法であって、前記方法は、適切な表面に対して少なくとも１つの下地層を塗布するステップと、前記下地層を硬化させるステップと、その後少なくとも１つの透明バリア層を塗布するステップとを含み、
前記少なくとも１つの下地層が１つ以上のポリエステル類、ビニルエステル類またはテレフタレート系樹脂を含み、
前記少なくとも１つの下地層が無機又は有機顔料を含み、
前記透明バリア層が１つ以上のフタレート含有ポリエステル類、ビニル含有ポリエステル類またはメタクリル酸メチル含有ポリエステル類を含む透明ポリエステルゲルコートであり、並びに、
前記透明バリア層が、使用中、前記下地層の上に配置され前記水性液体と接触し、それにより前記透明バリア層が前記下地層の構造及び外観を保護している、
方法。
【請求項２】
前記適切な表面がウォータークラフトの表面である、請求項１に記載の方法。
【請求項３】
前記ウォータークラフトがボート、船、カヌー、カヤック、いかだ、はしけ、双胴船、ヨット、水中翼船、ウインドサーフィン、サーフボード、水上スキー板、ジェットスキー、水中ロボットまたは水上飛行機からなる群から選択される、請求項２に記載の方法。
【請求項４】
前記ウォータークラフトが少なくとも部分的にガラス繊維強化プラスチックで構成されている、請求項３に記載の方法。
【請求項５】
前記下地層が１つ以上の装飾または観賞作用物質を含む装飾層である、請求項１〜４のいずれか一項に記載の方法。
【請求項６】
前記表面組成がさらに１つ以上のＵＶ阻害剤、吸収剤または安定剤を含む、請求項１〜５のいずれか一項に記載の方法。
【請求項７】
前記透明バリア層が１つ以上のＵＶ阻害剤、吸収剤および／または安定剤を含む、請求項１〜６のいずれか一項に記載の方法。
【請求項８】
前記透明ポリエステルゲルコートがフタレート含有ポリエステルを含む、請求項１に記載の方法。
【請求項９】
前記透明ポリエステルゲルコートがイソフタル酸ネオペンチルグリコールから誘導される、請求項８に記載の方法。
【請求項１０】
前記透明ポリエステルゲルコートが、ポリエステル中のジヒドロキシ化合物の合計モル％に基づいて７０モル％超のネオペンチルグリコールから誘導される、請求項９に記載の方法。
【請求項１１】
前記バリア層がトリアジン系のＵＶ吸収剤を含む、請求項６〜１０のいずれか一項に記載の方法。
【請求項１２】
前記バリア層がヒンダードアミン系光安定剤を含む、請求項６〜１１のいずれか一項に記載の方法。
【請求項１３】
前記透明バリア層がさらに１つ以上の金属促進剤を含む、請求項１〜１２のいずれか一項に記載の方法。
【請求項１４】
前記１つ以上の金属促進剤が、オクチル酸亜鉛、オクチル酸カリウムまたはオクチル酸コバルトからなる群から選択される、請求項１３に記載の方法。
【請求項１５】
前記下地層が１つ以上のエポキシビニルエステル類、臭素化エポキシビニルエステル類、ノボラックエポキシビニルエステル樹脂またはエラストマで修飾されたビニルエステル樹脂を含む、請求項１〜１４のいずれか一項に記載の方法。
【請求項１６】
前記エポキシビニルエステル樹脂がビスフェノール−Ａエポキシビニルエステル樹脂を含む、請求項１５に記載の方法。
【請求項１７】
前記下地層がさらに１つ以上の金属促進剤を含む、請求項１〜１６のいずれか一項に記載の方法。
【請求項１８】
ウォータークラフトの製造における表面組成の使用であって、前記表面組成少なくとも１つの透明バリア層と少なくとも１つの下地層とを含み、
前記透明バリア層が１つ以上のフタレート含有ポリエステル類、ビニル含有ポリエステル類またはメタクリル酸メチル含有ポリエステル類を含む透明ポリエステルゲルコートであり、
前記少なくとも１つの下地層が１つ以上のポリエステル類、ビニルエステル類またはテレフタレート系樹脂を含み、並びに、
前記少なくとも１つの下地層が無機又は有機顔料を含み、
前記透明バリア層が、使用中、前記下地層の上に配置され水性液体と接触し、それにより前記透明バリア層が前記下地層の構造及び外観を保護している、
使用。
【請求項１９】
前記ウォータークラフトがボート、船、カヌー、カヤック、いかだ、はしけ、双胴船、ヨット、水中翼船、ウインドサーフィン、サーフボード、水上スキー板、ジェットスキー、水中ロボットまたは水上飛行機からなる群から選択される、請求項１８に記載の使用。
【請求項２０】
前記ウォータークラフトが少なくとも部分的にガラス繊維強化プラスチックで構成されている、請求項１９に記載の使用。
【請求項２１】
前記下地層が１つ以上の装飾または観賞作用物質を含む装飾層である、請求項１９又は２０に記載の使用。
【請求項２２】
前記表面組成がさらに１つ以上のＵＶ阻害剤、吸収剤または安定剤を含む、請求項１９〜２１のいずれか一項に記載の使用。
【請求項２３】
前記透明バリア層が１つ以上のＵＶ阻害剤、吸収剤および／または安定剤を含む、請求項１９〜２２のいずれか一項に記載の使用。
【請求項２４】
前記透明ポリエステルゲルコートがフタレート含有ポリエステルを含む、請求項１８に記載の使用。
【請求項２５】
前記透明ポリエステルゲルコートがイソフタル酸ネオペンチルグリコールから誘導される、請求項２４に記載の使用。
【請求項２６】
前記透明ポリエステルゲルコートが、ポリエステル中のジヒドロキシ化合物の合計モル％に基づいて７０モル％超のネオペンチルグリコールから誘導される、請求項２５に記載の使用。
【請求項２７】
前記バリア層がトリアジン系のＵＶ吸収剤を含む、請求項２２〜２６のいずれか一項に記載の使用。
【請求項２８】
前記バリア層がヒンダードアミン系光安定剤を含む、請求項２２〜２７のいずれか一項に記載の使用。
【請求項２９】
前記透明バリア層がさらに１つ以上の金属促進剤を含む、請求項２２〜２８のいずれか一項に記載の使用。
【請求項３０】
前記１つ以上の金属促進剤が、オクチル酸亜鉛、オクチル酸カリウムまたはオクチル酸コバルトからなる群から選択される、請求項２９に記載の使用。
【請求項３１】
前記下地層が１つ以上のエポキシビニルエステル類、臭素化エポキシビニルエステル類、ノボラックエポキシビニルエステル樹脂またはエラストマで修飾されたビニルエステル樹脂を含む、請求項２２〜３０のいずれか一項に記載の使用。
【請求項３２】
前記エポキシビニルエステル樹脂がビスフェノール−Ａエポキシビニルエステル樹脂を含む、請求項３１に記載の使用。
【請求項３３】
前記下地層がさらに１つ以上の金属促進剤を含む、請求項１８〜３２のいずれか一項に記載の方法。
【請求項３４】
請求項１〜１７のいずれか一項に記載の方法により製造される表面組成を有するウォータークラフト。
【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
ａ）グルタチオントランスポーターのリガンド、並びに
ｂ）ｉ）診断用又は治療用薬剤、及び
ｉｉ）薬剤を含む薬学的に許容されるナノコンテナー
の少なくとも１つを含み、
ａ）におけるリガンドがｂ）における薬剤及びナノコンテナーの少なくとも１つに結合している複合体。
【請求項２】
前記リガンドが、ＢＣＥＣ又はＭＤＣＫ標的細胞への前記リガンドの添加後１８時間以内に測定したとき、ａ）ＧＳＨトランスポーターの発現を欠く細胞；ｂ）過剰な遊離ＧＳＨで前処理した細胞；及びｃ）ＧＳＨ部分を欠く参照化合物から選択される対照条件と比較して少なくとも１０％高い率で前記標的細胞に特異的に結合する、又は前記標的細胞内にエンドサイトーシスされる、若しくは前記標的細胞を介してトランスサイトーシスされるリガンドである、請求項１に記載の複合体。
【請求項３】
前記リガンドが、グルタチオン、Ｓ−（ｐ−ブロモベンジル）グルタチオン、ガンマ−（Ｌ−ガンマ−アザグルタミル）−Ｓ−（ｐ−ブロモベンジル）−Ｌ−システイニルグリシン、Ｓ−ブチルグルタチオン、Ｓ−デシルグルタチオン、還元型グルタチオンエチルエステル、グルタチオンスルホン酸、Ｓ−ヘキシルグルタチオン、Ｓ−ラクトイルグルタチオン、Ｓ−メチルグルタチオン、Ｓ−（４−ニトロベンジル）グルタチオン、Ｓ−オクチルグルタチオン、Ｓ−プロピルグルタチオン、ｎ−ブタノイルガンマ−グルタミルシステイニルグリシン、エタノイルガンマ−グルタミルシステイニルグリシン、ヘキサノイルガンマ−グルタミルシステイニルグリシン、オクタノイルガンマ−グルタミルシステイニルグリシン、ドデカノイルガンマ−グルタミルシステイニルグリシン、ＧＳＨモノイソプロピルエステル（Ｎ−（Ｎ−Ｌ−グルタミル−Ｌ−システイニル）グリシン１−イソプロピルエステル硫酸一水和物）及び以下の式Ｉ
【化１】
2012518633.tif 000001
［式中、Ｚ＝ＣＨ２及びＹ＝ＣＨ２又はＺ＝Ｏ及びＹ＝Ｃであり、
Ｒ１及びＲ２は、Ｈ、直鎖又は分枝アルキル（１〜２５Ｃ）、アラルキル（６〜２６Ｃ）、シクロアルキル（６〜２５Ｃ）、複素環（６〜２０Ｃ）、エーテル又はポリエーテル（３〜２５Ｃ）からなる群から独立に選択され、Ｒ１−Ｒ２は、一緒に２〜２０個のＣ原子を有し、式Ｉの残りとマクロ環を形成し、
Ｒ３は、Ｈ及びＣＨ３からなる群から選択され、
Ｒ４は、６〜８Ｃアルキル、ベンジル、ナフチル及び治療上活性な化合物からなる群から選択され、
Ｒ５は、Ｈ、フェニル、ＣＨ３−及びＣＨ２−フェニル又はその薬学的に許容される塩からなる群から選択される］のグルタチオン誘導体からなる群から選択される、請求項１又は２に記載の複合体。
【請求項４】
式Ｉの誘導体において、Ｒ３がＨであり、Ｒ４がベンジルであり、Ｒ５がフェニルである、請求項３に記載の複合体。
【請求項５】
前記薬剤が
ａ．中枢神経系抑制薬、
ｂ．中枢神経系刺激薬、
ｃ．向精神薬、
ｄ．気道薬、
ｅ．末梢神経系薬、
ｆ．シナプス又は神経効果器接合部に作用する薬物、
ｇ．平滑筋作用薬、
ｈ．ヒスタミン作用薬、
ｉ．抗ヒスタミン薬、
ｊ．心血管薬、
ｋ．血液又は造血系薬、
ｌ．胃腸管薬、
ｍ．ステロイド薬、
ｎ．細胞増殖抑制又は抗腫瘍薬、
ｏ．抗感染薬、
ｐ．抗生物質、
ｑ．抗真菌薬、
ｒ．駆虫薬、
ｓ．抗マラリア薬、
ｔ．抗原虫薬、
ｕ．抗菌薬、
ｖ．抗炎症薬、
ｗ．免疫抑制薬、
ｘ．サイトカイン、
ｙ．酵素、
ｚ．イミノ糖、
ａａ．セラミド類似体、
ｂｂ．脳作用ホルモン又は神経伝達物質、
ｃｃ．神経ペプチド又はその誘導体、
ｄｄ．神経栄養因子、
ｅｅ．抗体又はその断片、
ｆｆ．アルツハイマー病薬又は化合物、
ｇｇ．核酸ベースの化合物、
ｈｈ．造影剤、
ｉｉ．（有機リン）解毒薬、
の少なくとも１つである、請求項１から４までのいずれか一項に記載の複合体。
【請求項６】
前記薬学的に許容されるナノコンテナーが
ａ）担体タンパク質、
ｂ）リポソーム、
ｃ）ポリプレックスシステム、
ｄ）リポプレックスシステム、及び
ｅ）ポリエチレングリコール
の少なくとも１つを含む、請求項１から５までのいずれか一項に記載の複合体。
【請求項７】
前記薬学的に許容されるナノコンテナーが陽イオン脂質若しくは両性脂質の少なくとも１つを含むリポプレックスシステム、又はポリ−Ｌ−リシン、ポリ−Ｌ−オルニチン、ポリエチレンイミン及びポリアミドアミンの少なくとも１つを含むポリプレックスシステムである、請求項６に記載の複合体。
【請求項８】
ＣＮＳ障害の治療、予防又は診断に用いる、請求項１〜７までのいずれか一項に記載の複合体。
【請求項９】
ＣＮＳ障害の治療、予防又は診断用の医薬品の製造のための請求項１〜８までのいずれか一項に記載の複合体の使用。
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
以下の式の化合物：
【化５】
2012518659.tif 000001
であって、ここでＡは、塩基性アミノ酸；四級アンモニウム；脂肪族アンモニウム；複素環式アンモニウム；芳香族アンモニウム；置換型および非置換型のピリジニウム；グアニジニウム；ならびにアミジニウムの共役酸から選択されるアンモニウム種を表し；ＸおよびＹは、独立して、脱離基を表す、化合物。
【請求項２】
Ａは、リジン、アルギニン、ヒスチジン、ホモリジン、ホモアルギニン、およびオルニチンから選択される塩基性アミノ酸の共役酸である、請求項１に記載の化合物。
【請求項３】
前記塩基性アミノ酸は、リジンである、請求項２に記載の化合物。
【請求項４】
Ａは、ＢＨ＋を表し、Ｂは、塩基性アミノ酸、シクロヘキシルアミン、ピリジン、Ｎ，Ｎ−ジメチルアミノピリジン、ジアザビシクロノナン、ジアザビシクロウンデセン、Ｎ−メチル−Ｎ−エチルアミン、ジエチルアミン、トリエチルアミン、ジイソプロピルエチルアミン、モノ−、ビス−もしくはトリス−（２−ヒドロキシエチル）アミン、２−ヒドロキシ−ｔｅｒｔ−ブチルアミン、トリス（ヒドロキシメチル）メチルアミン、Ｎ，Ｎ−ジメチル−Ｎ−（２−ヒドロキシエチル）アミン、トリ−（２−ヒドロキシエチル）アミンおよびＮ−メチル−Ｄ−グルカミンから選択されるアミンである、請求項１に記載の化合物。
【請求項５】
Ｂは、リジン、ホモリジン、アルギニン、ホモアルギニン、ヒスチジン、オルニチン、およびこれらのうちの２種以上の組み合わせから選択される塩基性アミノ酸である、請求項４に記載の化合物。
【請求項６】
Ｂはリジンである、請求項５に記載の化合物。
【請求項７】
ＸおよびＹは、ハロゲンおよびスルホネートから独立して選択される、請求項１〜６のいずれか１項に記載の化合物。
【請求項８】
ＸおよびＹは、ハロゲンである、請求項７に記載の化合物。
【請求項９】
ＸおよびＹは塩素である、請求項８に記載の化合物。
【請求項１０】
請求項１〜９のいずれか１項に記載の化合物および薬学的に受容可能なキャリアを含む、薬学的組成物。
【請求項１１】
前記塩基性アミノ酸は、リジン、ホモリジン、アルギニン、ホモアルギニン、ヒスチジン、オルニチン、およびこれらのうちの２種以上の組み合わせから選択される、請求項１０に記載の薬学的組成物。
【請求項１２】
前記塩基性アミノ酸はリジンである、請求項１１に記載の薬学的組成物。
【請求項１３】
ＸおよびＹは、ハロゲンおよびスルホネートから独立して選択される、請求項１２に記載の薬学的組成物。
【請求項１４】
ＸおよびＹは、ハロゲンである、請求項１３に記載の薬学的組成物。
【請求項１５】
ＸおよびＹは、塩素である、請求項１４に記載の薬学的組成物。
【請求項１６】
前記組成物は、ヒト被験体への投与のために処方された液剤を含む、請求項１０に記載の薬学的組成物。
【請求項１７】
前記液剤は、約０．１ｍｇ／ｍｌ〜約２５０ｍｇ／ｍｌの前記化合物を含む、請求項１６に記載の薬学的組成物。
【請求項１８】
前記液剤は、約２０〜約１００ｍｇ／ｍｌの前記化合物を含む、請求項１７に記載の薬学的組成物。
【請求項１９】
前記組成物は、投与単位あたり約２００ｍｇ〜約１５００ｍｇの前記化合物を含む、請求項１７に記載の薬学的組成物。
【請求項２０】
４−ヒドロペルオキシイホスファミドアニオンおよびアンモニウムカチオンを含む、錯体。
【請求項２１】
第２のアミンもしくはアンモニウムカチオンをさらに含む、請求項２０に記載の錯体。
【請求項２２】
前記アンモニウムカチオンは、リジンもしくはトリス（ヒドロキシメチル）メチルアミンの共役酸である、請求項２１に記載の錯体。
【請求項２３】
請求項２０〜２２のいずれか１項に記載の錯体および薬学的に受容可能なキャリアを含む、薬学的組成物。
【請求項２４】
前記組成物は、４−ヒドロペルオキシイホスファミドの１当量あたり、少なくとも２当量のアミン塩基を含む、請求項２３に記載の薬学的組成物。
【請求項２５】
前記組成物は、治療上有効量の前記化合物を含む、腫瘍を有する被験体を処置することにおいて使用するための、請求項１０に記載の薬学的組成物。
【請求項２６】
前記被験体は、中枢神経系腫瘍、乳癌、骨癌、肺癌、黒色腫、卵巣癌もしくは白血病を有する、請求項２５に記載の薬学的組成物。
【請求項２７】
前記化合物が、約１０ｍｇ／ｍ２／日〜約７００ｍｇ／ｍ２／日で前記被験体へ投与されることを特徴とする、請求項２５または２６に記載の薬学的組成物。
【請求項２８】
治療上有効な量の第２の化合物と組み合わせて投与されることを特徴とする、請求項２７に記載の薬学的組成物。
【請求項２９】
前記第２の化合物は、微小管結合剤、ＤＮＡインターカレーターもしくは架橋剤、ＤＮＡ合成インヒビター、ＤＮＡおよび／もしくはＲＮＡ転写インヒビター、酵素インヒビター、遺伝子調節因子、酵素、抗体および脈管形成インヒビターから選択される、請求項２８に記載の薬学的組成物。
【請求項３０】
前記組成物が、治療上有効な量の第３の化合物と組み合わせて投与されることを特徴とし、ここで該第３の化合物は、微小管結合剤、ＤＮＡインターカレーターもしくは架橋剤、ＤＮＡ合成インヒビター、ＤＮＡおよび／もしくはＲＮＡ転写インヒビター、酵素インヒビター、遺伝子調節因子、酵素、抗体および脈管形成インヒビターから選択される、請求項２８に記載の薬学的組成物。
【請求項３１】
前記中枢神経系腫瘍は、神経膠芽腫、星状細胞腫、希突起神経膠腫、もしくは上衣芽細胞腫を含む、請求項２６に記載の薬学的組成物。
【請求項３２】
前記中枢神経系腫瘍は、原発性脳腫瘍もしくは転移性脳腫瘍を含む、請求項３１に記載の薬学的組成物。
【請求項３３】
請求項１〜９のいずれか一項に記載の化合物を含む凍結乾燥物。
【請求項３４】
ＸおよびＹはクロリドである、請求項３３に記載の凍結乾燥物。
【請求項３５】
前記塩基性アミノ酸はリジンである、請求項３２に記載の凍結乾燥物。
【請求項３６】
賦形剤をさらに含む、請求項３３に記載の凍結乾燥物。
【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
薬学的に許容されるアジュバント、希釈剤または担体と混合した、式Ｉ、ＩＩ、ＩＩＩもしくはＩＶの化合物
【化１７】
2012518671.tif 000001
（式中、化合物Ｉにおいて、アルキル鎖を囲む−２Ｈ２と表示された枠は、アルキル鎖に沿って配置された２つの炭素−炭素二重結合が存在することを意味し、化合物ＩＩＩにおいて、アルキル鎖を囲む＋酸素と表示された枠は、アルキル鎖に沿って配置されたヒドロキシル基が存在することを意味する）
またはそれらの組合せを含む医薬組成物。
【請求項２】
化合物Ｉを含む、請求項１に記載の医薬組成物。
【請求項３】
化合物ＩＩを含む、請求項１に記載の医薬組成物。
【請求項４】
化合物ＩＩＩを含む、請求項１に記載の医薬組成物。
【請求項５】
化合物ＩＶを含む、請求項１に記載の医薬組成物。
【請求項６】
医薬品として使用するための、式Ｉ、ＩＩ、ＩＩＩまたはＩＶの化合物、例えば、式Ｉ、ＩＩ、ＩＩＩまたはＩＶの単離された化合物：
【化１８】
2012518671.tif 000002
（式中、化合物Ｉにおいて、アルキル鎖を囲む−２Ｈ２と表示された枠は、アルキル鎖に沿って配置された２つの炭素−炭素二重結合が存在することを意味し、化合物ＩＩＩにおいて、アルキル鎖を囲む＋酸素と表示された枠は、アルキル鎖に沿って配置されたヒドロキシル基が存在することを意味する）。
【請求項７】
臓器もしくは組織の移植拒絶反応の治療もしくは予防において、または自己免疫疾患もしくは炎症状態、例えば多発性硬化症の治療もしくは予防において使用するための請求項６に記載の式Ｉ、ＩＩ、ＩＩＩまたはＩＶの化合物。
【請求項８】
請求項６に記載の式Ｉ、ＩＩ、ＩＩＩもしくはＩＶの１つもしくは複数の化合物を含む、臓器もしくは組織の移植拒絶反応、自己免疫疾患または炎症状態、例えば多発性硬化症を治療または予防するための医薬組成物。
【請求項９】
請求項６に記載の式Ｉ、ＩＩ、ＩＩＩもしくはＩＶの１つもしくは複数の化合物を含む、ＦＴＹ７２０を投与し、臓器もしくは組織の移植拒絶反応、自己免疫疾患または炎症状態、例えば多発性硬化症を治療するための医薬組成物。
【請求項１０】
治療有効量の請求項６に記載の式Ｉ、ＩＩ、ＩＩＩもしくはＩＶの１つもしくは複数の化合物を含む、ＦＴＹ７２０を投与し、臓器もしくは組織の移植拒絶反応、自己免疫疾患または炎症状態、例えば多発性硬化症を治療するための医薬組成物。
【手続補正２】
【補正対象書類名】明細書
【補正対象項目名】００６６
【補正方法】変更
【補正の内容】
【００６６】
反応物はわずかに発熱するので、氷で冷却して、温度を２０〜２５℃で維持する必要がある。撹拌を２０〜２５℃で２時間続けた後、水中の２５（重量）％ＮａＣｌ溶液１０２ｍＬを２０〜２５℃で１５分以内に加え、次いで、（水中の）１０（重量）％ＨＣｌ溶液５．３ｍＬを加える。次いで、相を分離し、有機相を（水中の）２５％ＮａＣｌ溶液７５ｍＬ、（水中の）５（重量）％ＮａＨＣＯ３溶液７５ｍＬで連続洗浄、水７５ｍｌで３回洗浄を行う。次いで、有機相を５０℃で蒸発させる。生成物をＨＰＬＣ（ＨＰＬＣ分析９８．０％ｂ．ａ．）により分析する。
本発明は以下の態様を包含し得る。
［１］  薬学的に許容されるアジュバント、希釈剤または担体と混合した、式Ｉ、ＩＩ、ＩＩＩもしくはＩＶの化合物
【化１７】
2012518671.tif 000003
（式中、化合物Ｉにおいて、アルキル鎖を囲む−２Ｈ２と表示された枠は、アルキル鎖に沿って配置された２つの炭素−炭素二重結合が存在することを意味し、化合物ＩＩＩにおいて、アルキル鎖を囲む＋酸素と表示された枠は、アルキル鎖に沿って配置されたヒドロキシル基が存在することを意味する）
またはそれらの組合せを含む医薬組成物。
［２］  化合物Ｉを含む、上記［１］に記載の医薬組成物。
［３］  化合物ＩＩを含む、上記［１］に記載の医薬組成物。
［４］  化合物ＩＩＩを含む、上記［１］に記載の医薬組成物。
［５］  化合物ＩＶを含む、上記［１］に記載の医薬組成物。
［６］  医薬品として使用するための、式Ｉ、ＩＩ、ＩＩＩまたはＩＶの化合物、例えば、式Ｉ、ＩＩ、ＩＩＩまたはＩＶの単離された化合物：
【化１８】
2012518671.tif 000004
（式中、化合物Ｉにおいて、アルキル鎖を囲む−２Ｈ２と表示された枠は、アルキル鎖に沿って配置された２つの炭素−炭素二重結合が存在することを意味し、化合物ＩＩＩにおいて、アルキル鎖を囲む＋酸素と表示された枠は、アルキル鎖に沿って配置されたヒドロキシル基が存在することを意味する）。
［７］  臓器もしくは組織の移植拒絶反応の治療もしくは予防において、または自己免疫疾患もしくは炎症状態、例えば多発性硬化症の治療もしくは予防において使用するための上記［６］に記載の式Ｉ、ＩＩ、ＩＩＩまたはＩＶの化合物。
［８］  治療有効量の上記［１］〜［５］に記載の医薬組成物または上記［６］に記載の式Ｉ、ＩＩ、ＩＩＩもしくはＩＶの１つもしくは複数の化合物を対象に投与することを含む、臓器もしくは組織の移植拒絶反応、自己免疫疾患または炎症状態、例えば多発性硬化症を治療または予防する方法。
［９］  上記［１］〜［５］に記載の医薬組成物または上記［６］に記載の式Ｉ、ＩＩ、ＩＩＩもしくはＩＶの１つもしくは複数の化合物を投与することを含む、ＦＴＹ７２０を、臓器もしくは組織の移植拒絶反応、自己免疫疾患または炎症状態、例えば多発性硬化症の治療を必要とする患者に投与する方法。
［１０］  治療有効量の上記［１］〜［５］に記載の医薬組成物または上記［６］に記載の式Ｉ、ＩＩ、ＩＩＩもしくはＩＶの１つもしくは複数の化合物を対象に投与することを含む、ＦＴＹ７２０を、臓器もしくは組織の移植拒絶反応、自己免疫疾患または炎症状態、例えば多発性硬化症を治療するために投与する方法。
【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
エンジン清浄添加剤及び四級アンモニウム塩添加剤を含むディーゼル燃料組成物であって、前記エンジン清浄添加剤が、
（ａ）アルデヒドと、
（ｂ）アンモニア、ヒドラジン又はアミンと、
（ｃ）置換されていてもよいフェノールと
の間のマンニッヒ反応の生成物であり、
フェノール成分（ｃ）の１つ又はそれぞれの置換基が、４００未満の平均分子量を有し、前記四級アンモニウム塩添加剤が、少なくとも１個の三級アミン基を有する窒素含有種と四級化剤との反応により形成される、ディーゼル燃料組成物。
【請求項２】
成分（ｂ）が、２〜８個の窒素原子を有するポリエチレンポリアミンである、請求項１に記載のディーゼル燃料組成物。
【請求項３】
エンジン清浄添加剤が、少なくとも３０ｐｐｍの量で存在する、請求項１又は２に記載のディーゼル燃料組成物。
【請求項４】
窒素含有種が、
（ｉ）ヒドロカルビル置換アシル化剤と、少なくとも１個の三級アミン基及び一級アミン、二級アミン又はアルコール基を有する化合物との反応生成物と、
（ii）三級アミン基を有するマンニッヒ反応生成物と、
（iii）少なくとも１個の三級アミン基を有するポリアルキレン置換アミンと
を含む、請求項1〜３のいずれかに記載のディーゼル燃料組成物。
【請求項５】
四級化剤が、硫酸ジアルキル、ハロゲン化ベンジル、ヒドロカルビル置換カーボネート、酸と組み合わせたヒドロカルビルエポキシド、又はこれらの混合物から選択される、請求項１〜４のいずれかに記載のディーゼル燃料組成物。
【請求項６】
１又は２以上の窒素含有洗浄剤をさらに含む、請求項１〜５のいずれかに記載のディーゼル燃料組成物。
【請求項７】
窒素含有洗浄剤が、ヒドロカルビル置換カルボン酸アシル化剤とアミンとの反応生成物である、請求項６に記載のディーゼル燃料組成物。
【請求項８】
金属不活性化化合物をさらに含む、請求項１〜７のいずれかに記載のディーゼル燃料組成物。
【請求項９】
粒子トラップの再生を補助するために金属含有燃料添加触媒種を含む、請求項１〜８のいずれかに記載のディーゼル燃料組成物。
【請求項１０】
触媒種が、鉄、セリウム、第Ｉ族金属、第II族金属、白金、及びマンガンから選択される金属を含む、請求項９に記載のディーゼル燃料組成物。
【請求項１１】
第II族金属が、カルシウム又はストロンチウムである、請求項１０に記載のディーゼル燃料組成物。
【請求項１２】
０．１〜１０ｐｐｍの金属含有種を含む、請求項１〜１１のいずれかに記載のディーゼル燃料組成物。
【請求項１３】
請求項１〜１２のいずれかに記載のディーゼル燃料組成物をエンジン中で燃焼させることを含む、ディーゼルエンジンから堆積物を除去する方法。
【請求項１４】
ディーゼルエンジンが、１３５０バールを超える圧力を有する高圧燃料システムを有する、請求項１３に記載の方法。
【請求項１５】
２４時間のエンジン運転後にエンジン出力が少なくとも３％増加する、請求項１３又は１４に記載の方法。
【請求項１６】
ディーゼルエンジンから堆積物を除去するための、四級アンモニウム塩及びエンジン清浄添加剤の組合せの使用であって、前記エンジン清浄添加剤が、
（ａ）アルデヒドと、
（ｂ）アンモニア、ヒドラジン又はアミンと、
（ｃ）置換されていてもよいフェノールと
の間のマンニッヒ反応の生成物であり、
フェノール成分（ｃ）の１つ又はそれぞれの置換基が、４００未満の平均分子量を有し、前記四級アンモニウム塩添加剤が、少なくとも１個の三級アミン基を有する窒素含有種と四級化剤との反応により形成される、使用。
【手続補正書】
【提出日】平成25年2月25日(2013.2.25)
【手続補正１】
【補正対象書類名】特許請求の範囲
【補正対象項目名】全文
【補正方法】変更
【補正の内容】
【特許請求の範囲】
【請求項１】
哺乳動物において、前記癌細胞の少なくとも１つの細胞活性化経路における、ＭＡＰキナーゼ以外の少なくとも１種のプロテインキナーゼを阻害し、
ＥＲＫ２の結合のためのβインテグリンサブユニットの細胞質結合ドメイン、ＥＲＫ２が結合すべき前記結合ドメインの変異形態もしくは改変形態を提供するポリペプチド、または、前記ポリペプチドの発現のための核酸である
癌の予防または処置に使用されるインヒビター。
【請求項２】
ＭＡＰキナーゼ以外の複数のプロテインキナーゼを阻害して、前記癌細胞における複数の前記細胞活性化経路を阻害するための請求項１に記載のインヒビター。
【請求項３】
ｃ−Ｒａｆ、ＭＥＫ１ならびにＳｒｃファミリー、ＰＩ３Ｋファミリー、プロテインキナーゼＢ（ＰＫＢ／ＡＫＴ）ファミリーおよびプロテインキナーゼＣ（ＰＫＣ）ファミリーに属するキナーゼからなる群より選択される少なくとも１種のプロテインキナーゼを阻害する請求項１または２に記載のインヒビター。
【請求項４】
前記癌細胞における、Ｒａｓ／Ｒａｆ／ＭＥＫ／ＭＡＰＫ経路とは違った、またはその経路に加えて、他の細胞活性化経路の少なくとも１種のキナーゼを阻害する請求項１〜３のいずれか１項に記載のインヒビター。
【請求項５】
ＰＩ３キナーゼ／ＡＫＴ経路ならびにＳｒｃおよび／またはＰＫＣキナーゼファミリーに属する１種以上のキナーゼを含む細胞活性化経路からなる群より選択される少なくとも１つの細胞活性化経路を阻害する請求項１または２に記載のインヒビター。
【請求項６】
Ｓｒｃファミリー、ＰＫＢファミリーおよびＰＫＣファミリーに属するキナーゼからなる群より選択される１種以上のキナーゼを含む少なくとも１つの細胞活性化経路を阻害する請求項５に記載のインヒビター。
【請求項７】
ｃ−Ｓｒｃ、ｃ−Ｙｅｓ、ｃ−Ｌｙｎ、ｃ−Ｆｙｎ、ＰＫＢβおよびＰＫＢγ、ＰＫＣα、ＰＫＣβＩ、ＰＫＣβＩＩおよびＰＫＣγからなる群より選択されるキナーゼを阻害する請求項５または６に記載のインヒビター。
【請求項８】
ｐ１１０βおよびｐ１１０δからなる群より選択される触媒サブユニットを含む少なくとも１種のＰＩ３キナーゼを阻害する請求項５に記載のインヒビター。
【請求項９】
前記βインテグリンサブユニットの前記結合ドメインが、前記結合ドメインの両末端領域を互いに連結する、前記ＭＡＰキナーゼの結合に必須ではない介在アミノ酸リンカー配列を組み入れており、前記結合ドメインの前記両末端領域は、それぞれのアミノ酸配列によって規定される、請求項１〜８のいずれか１項に記載のインヒビター。
【請求項１０】
前記ポリペプチドが、前記βインテグリンサブユニットの前記結合ドメインの変異形態もしくは改変形態を含み、前記結合ドメインと比較して、前記アミノ酸リンカー配列の１つ以上のアミノ酸が、前記ポリペプチドにおいて欠失しているおよび／または異なる、請求項９に記載のインヒビター。
【請求項１１】
前記結合ドメインと比較して、前記介在アミノ酸配列中のアミノ酸が全て、前記ポリペプチドにおいて欠失している、請求項１０に記載のインヒビター。
【請求項１２】
前記結合ドメインと比較して、前記結合ドメインの前記両末端領域のアミノ酸配列同一性が、前記ポリペプチドにおいて変化していない、請求項９〜１１のいずれか１項に記載のインヒビター。
【請求項１３】
前記ポリペプチドであることを特徴とする請求項１〜１２のいずれか１項に記載のインヒビター。
【請求項１４】
前記ポリペプチドが、前記ポリペプチドの前記癌細胞への進入を促進するための促進因子部分に連結される、請求項１３に記載のインヒビター。
【請求項１５】
前記ポリペプチドがデンドリマーによって提示され、前記癌細胞が前記デンドリマーで処置される、請求項１３に記載のインヒビター。
【請求項１６】
前記デンドリマーが、前記ポリペプチドを８モノマー単位より多く提示する、請求項１５に記載のインヒビター。
【請求項１７】
前記デンドリマーが、前記ポリペプチドを１０モノマー単位提示する、請求項１６に記載のインヒビター。
【請求項１８】
前記ポリペプチドが、プロテアーゼ分解に対してＮ末端および／またはＣ末端が保護されている、請求項１３〜１７のいずれか１項に記載のインヒビター。
【請求項１９】
前記ポリペプチドが、前記プロテアーゼ分解からの保護のために複数のエチレングリコール単位でペグ化されている、請求項１８に記載のインヒビター。
【請求項２０】
前記ポリペプチドによって提示される、前記結合ドメインまたは前記結合ドメインの変異形態もしくは改変形態が、１つ以上のＤ−アミノ酸を含む、請求項１３〜１９のいずれか１項に記載のインヒビター。
【請求項２１】
上記ポリペプチドであることを特徴とする請求項１〜２０のいずれか１項に記載のインヒビター。
【請求項２２】
少なくとも１種のプロテインキナーゼの活性をインビトロで阻害するための方法であって、前記プロテインキナーゼを、ＥＲＫ２の結合のためのβインテグリンサブユニットのＭＡＰキナーゼ細胞質結合ドメインまたは前記結合ドメインのＥＲＫ２が結合する変異形態もしくは改変形態を提供するポリペプチドと接触させる工程を含み、前記プロテインキナーゼは、ｃ−ＲＡＦ、ＭＥＫ１ならびにＳｒｃファミリー、ＰＩ３Ｋファミリー、ＰＫＢファミリーおよびＰＫＣファミリーに属するキナーゼからなる群より選択される、方法。
【請求項２３】
癌細胞における複数の細胞活性化経路をインビトロで阻害するための方法であって、前記癌細胞を、ＥＲＫ２の結合のためのβインテグリンサブユニットのＭＡＰキナーゼ細胞質結合ドメインまたは前記結合ドメインのＥＲＫ２が結合する変異形態もしくは改変形態を提供する少なくとも１種のポリペプチドの有効量で処置する工程を含む、方法。
【手続補正２】
【補正対象書類名】明細書
【補正対象項目名】発明の名称
【補正方法】変更
【補正の内容】
【発明の名称】癌の予防または処置に使用されるインヒビター及び方法
【手続補正書】
【提出日】平成25年2月8日(2013.2.8)
【手続補正１】
【補正対象書類名】特許請求の範囲
【補正対象項目名】全文
【補正方法】変更
【補正の内容】
【特許請求の範囲】
【請求項１】
可変焦点光学器械であって、
前面及び後面を備えた硬質の湾曲した透明な光学コンポーネントと、
前記硬質光学コンポーネントとの間に２つのキャビティを構成するよう前記硬質光学コンポーネントの周囲に取り付けられた２枚の透明な伸張性メンブレンと、を有し、第１のキャビティは前記硬質光学コンポーネントと第１のメンブレンの間であり、第２のキャビティは前記硬質光学コンポーネントと第２のメンブレンの間であり、
前記各キャビティを満たす可変量の流体と、
追加の流体を収容していて、少なくとも１つの前記キャビティと流体連通状態にあるリザーバとを有し、前記リザーバは、力又は衝撃に応答して少なくとも１つの前記キャビティ内への流体の注入又は少なくとも１つの前記キャビティからの流体の抜き出しをするように構成され、
前記硬質光学コンポーネントの前記前面及び前記硬質光学コンポーネントの前記後面は同一方向に湾曲され、
前記前面と前記後面の交差部が前記硬質光学コンポーネントの周方向エッジであるように、前記前面の曲率半径は前記後面の曲率半径よりも小さい、可変焦点光学器械。
【請求項２】
前記リザーバと少なくとも１つの前記キャビティを流体連通させる連通チャネルを更に有する、請求項１記載の可変焦点光学器械。
【請求項３】
前記キャビティ、前記リザーバ、及び前記連通チャネルは、密閉系を構成する、請求項２記載の可変焦点光学器械。
【請求項４】
少なくとも１つの前記メンブレンは、少なくとも一部が接着シール又はレーザ溶接によって前記硬質光学コンポーネントの前記周囲に取り付けられている、請求項１記載の可変焦点光学器械。
【請求項５】
少なくとも１つの前記メンブレンは、少なくとも一部が、前記硬質光学コンポーネントの前記周囲に結合されている支持要素に結合されている、請求項１記載の可変焦点光学器械。
【請求項６】
少なくとも１つの前記メンブレンは、少なくとも一部が、前記硬質光学コンポーネントへの取り付け手段となるリング内で前記硬質光学コンポーネントの前記周囲に着座している、請求項１記載の可変焦点光学器械。
【請求項７】
前記リングは、前記リザーバと１つ又は複数の前記キャビティとを流体連通させる連通チャネルを有する、請求項６記載の可変焦点光学器械。
【請求項８】
前記硬質光学コンポーネントの前面の幾何学的形状は、レンズの中心からレンズのエッジにかけて次第に変化する非球面である、請求項１記載の可変焦点光学器械。
【請求項９】
前記硬質光学コンポーネントは、前記可変焦点光学器械により提供されるよう設計された屈折力範囲のうちの最小値又はこれ以下の光学屈折力を有する、請求項１記載の可変焦点光学器械。
【請求項１０】
前記硬質光学コンポーネントは、耐衝撃性ポリマー、耐引き掻き性膜、又は反射防止膜を有する、請求項１記載の可変焦点光学器械。
【請求項１１】
２つのレンズを含み、オフサルミック用途向きに設計された１組の単眼鏡であって、
少なくとも１つの請求項１記載の可変焦点光学器械と、
アクチュエータと、
レンズホルダーと、を有する、単眼鏡。
【請求項１２】
前記眼鏡のレンズのうちの少なくとも１つの光学屈折力は、別個に調整可能である、請求項１１記載の１組の単眼鏡。
【請求項１３】
前記リザーバは、前記レンズホルダー内に位置していて、前記アクチュエータにより動作可能である、請求項１１記載の１組の単眼鏡。
【請求項１４】
前記レンズのうちの少なくとも１つの光学屈折力は、前記アクチュエータによって調整可能であり、しかる後、それ以上の調整を阻止するよう変更される、請求項１１記載の１組の単眼鏡。
【請求項１５】
前記フレーム内に設けられていて、前記リザーバと１又は複数の前記キャビティを流体連通させる連通チャネルを更に有する、請求項１１記載の１組の単眼鏡。
【手続補正書】
【提出日】平成25年5月10日(2013.5.10)
【手続補正１】
【補正対象書類名】特許請求の範囲
【補正対象項目名】全文
【補正方法】変更
【補正の内容】
【特許請求の範囲】
【請求項１】
オーディオ信号を符号化する方法であって、
変換されたオーディオ信号を受信するステップと、
前記変換されたオーディオ信号を複数のサブ帯域に分割するステップと、
前記サブ帯域のエネルギを各々演算するステップと、
前記サブ帯域のエネルギサイズが大きい順に、前記サブ帯域で予め決定された個数のサブ帯域を選択するステップと、
前記選択されたサブ帯域に対して正弦波コーディング（Ｓｉｎｕｓｏｉｄａｌ  Ｃｏｄｉｎｇ）を行うステップと、
を含むことを特徴とする符号化方法。
【請求項２】
前記正弦波コーディングを行うステップが、前記サブ帯域のエネルギサイズに基づいて、前記選択されたサブ帯域をトラックにグループ化した後、前記トラックに対して正弦波コーディングを行うことを特徴とする請求項１に記載の符号化方法。
【請求項３】
前記正弦波コーディングを行うステップが、前記選択されたサブ帯域のうち、互いに隣接したサブ帯域を１つのトラックにグループ化することを特徴とする請求項２に記載の符号化方法。
【請求項４】
前記正弦波コーディングを行うステップが、前記選択されたサブ帯域のうち、互いに隣接したサブ帯域を１つのサブ帯域に併合した後、前記併合されたサブ帯域に対して正弦波コーディングを行うことを特徴とする請求項１に記載の符号化方法。
【請求項５】
オーディオ信号を符号化する装置であって、
変換されたオーディオ信号を受信する入力部と、
前記変換されたオーディオ信号を複数のサブ帯域に分割し、前記サブ帯域のエネルギを各々演算し、前記サブ帯域のエネルギサイズが大きい順に、前記サブ帯域で予め決定された個数のサブ帯域を選択する演算部と、
前記選択されたサブ帯域に対して正弦波コーディング（Ｓｉｎｕｓｏｉｄａｌ  Ｃｏｄｉｎｇ）を行うコーディング部と、
を備えることを特徴とする符号化装置。
【請求項６】
前記コーディング部が、前記サブ帯域のエネルギサイズに基づいて、前記選択されたサブ帯域をトラックにグループ化した後、前記トラックに対して正弦波コーディングを行うことを特徴とする請求項５に記載の符号化装置。
【請求項７】
前記コーディング部が、前記選択されたサブ帯域のうち、互いに隣接したサブ帯域を１つのトラックにグループ化することを特徴とする請求項６に記載の符号化装置。
【請求項８】
前記コーディング部が、前記選択されたサブ帯域のうち、互いに隣接したサブ帯域を１つのサブ帯域に併合した後、前記併合されたサブ帯域に対して正弦波コーディングを行うことを特徴とする請求項５に記載の符号化装置。
【請求項９】
オーディオ信号を復号化する方法であって、
変換されたオーディオ信号を受信するステップと、
前記変換されたオーディオ信号を複数のサブ帯域に分割するステップと、
前記サブ帯域のエネルギを各々演算するステップと、
前記サブ帯域のエネルギサイズが大きい順に、前記サブ帯域で予め決定された個数のサブ帯域を選択するステップと、
前記選択されたサブ帯域に対して正弦波デコーディング（Ｓｉｎｕｓｏｉｄａｌ  Ｄｅｃｏｄｉｎｇ）を行うステップと、
を含むことを特徴とする復号化方法。
【請求項１０】
前記正弦波デコーディングを行うステップが、前記サブ帯域のエネルギサイズに基づいて、前記選択されたサブ帯域をトラックにグループ化した後、前記トラックに対して正弦波デコーディングを行うことを特徴とする請求項９に記載の復号化方法。
【請求項１１】
前記正弦波デコーディングを行うステップが、前記選択されたサブ帯域のうち、互いに隣接したサブ帯域を１つのトラックにグループ化することを特徴とする請求項１０に記載の復号化方法。
【請求項１２】
前記正弦波デコーディングを行うステップが、前記選択されたサブ帯域のうち、互いに隣接したサブ帯域を１つのサブ帯域に併合した後、前記併合されたサブ帯域に対して正弦波デコーディングを行うことを特徴とする請求項９に記載の復号化方法。
【請求項１３】
オーディオ信号を復号化する装置であって、
変換されたオーディオ信号を受信する入力部と、
前記変換されたオーディオ信号を複数のサブ帯域に分割し、前記サブ帯域のエネルギを各々演算し、前記サブ帯域のエネルギサイズが大きい順に、前記サブ帯域で予め決定された個数のサブ帯域を選択する演算部と、
前記選択されたサブ帯域に対して正弦波デコーディング（Ｓｉｎｕｓｏｉｄａｌ  Ｄｅｃｏｄｉｎｇ）を行うデコーディング部と、
を備えることを特徴とする復号化装置。
【請求項１４】
前記デコーディング部が、前記サブ帯域のエネルギサイズに基づいて、前記選択されたサブ帯域をトラックにグループ化した後、前記トラックに対して正弦波デコーディングを行うことを特徴とする請求項１３に記載の復号化装置。
【請求項１５】
前記デコーディング部が、前記選択されたサブ帯域のうち、互いに隣接したサブ帯域を１つのトラックにグループ化することを特徴とする請求項１４に記載の復号化装置。
【請求項１６】
前記デコーディング部が、前記選択されたサブ帯域のうち、互いに隣接したサブ帯域を１つのサブ帯域に併合した後、前記併合されたサブ帯域に対して正弦波デコーディングを行うことを特徴とする請求項１３に記載の復号化装置。
【手続補正書】
【提出日】平成25年1月30日(2013.1.30)
【手続補正１】
【補正対象書類名】特許請求の範囲
【補正対象項目名】全文
【補正方法】変更
【補正の内容】
【特許請求の範囲】
【請求項１】
柔軟で輪郭が描かれた筒を柱状要素上に取り付ける方法であって、
（ａ）筒をその縦軸に沿って引き伸ばすステップと、
（ｂ）引き伸ばされた筒内に柱状要素を挿入するステップと、
（ｃ）筒を緩めるステップと、を少なくとも備えている方法。
【請求項２】
請求項１に記載の方法を用いて、螺旋チューブが支持チューブ上に取り付けられる、ことを特徴とする照射モジュールを製造する方法。
【請求項３】
柔軟で輪郭が描かれた筒を柱状要素上に取り付けるための装置であって、
１以上の位置で筒を掴む手段と、筒をその縦軸に沿って引き伸ばす手段と、引き伸ばされた筒内に柱状要素を挿入する手段とを、少なくとも備えている、装置。
【請求項４】
柔軟で輪郭が描かれた筒を第２筒内に挿入する方法であって、
（ａ）輪郭が描かれた筒をその縦軸に沿って引き伸ばすステップと、
（ｂ）引き伸ばされた筒を第２筒内に挿入するステップと、
（ｃ）輪郭が描かれた筒を緩めるステップと、を少なくとも備えている方法。